(57)【特許請求の範囲】
【請求項１】
扉枠の開口部を開閉する扉が設けられた自動販売機にチェン掛けして開扉を防止するために、上記扉又は扉枠の何れか一方にチェンの一端を固定するチェン固定部が設けられると共に該チェーンの他端側に錠が設けられ、解錠することにより錠本体の施錠ロッドに係止されている上記チェーンの他端を開放するようにした開扉防止用錠装置において、上記錠本体には下方に開口する収容孔と該収容孔に交叉し上記チェンの他端を挿脱できるチェン挿入溝を設け、上記収容孔には、下面に鍵孔を向けたシリンダ錠と、上記チェン挿入溝内のチェンに係脱する方向に昇降可能な施錠ロッドと、上記シリンダ錠のロータに係合し周壁の側面に螺旋カムが形成されると共に該螺旋カムに上記施錠ロッドに連動するガイドピンを係入させたシリンダカムとを設けて、上記ロータの施錠、解錠方向の回動により上記施錠ロッドを昇降方向に駆動させて上記チェーンの他端との係脱をさせるようにしたことを特徴とする開扉防止用錠装置。
【請求項２】
上記シリンダカムの下方に突出し、上記シリンダカムの底壁に当接するカム受け部材を設けたことを特徴とする請求項１記載の開扉防止用錠装置。
【請求項３】
上記収容孔はボディの下面に開口する大径孔部と該大径孔部に接続し上記チェン挿入溝と交叉する小径孔部により構成され、上記シリンダ錠のロータが施錠角度に回動したときに、上記施錠ロッドが上記チェン挿入溝の交叉部よりも上方の小径孔部内に突出することを特徴とする請求項１記載の開扉防止用錠装置。
【請求項４】
上記シリンダカムには、上記シリンダ錠の施錠，解錠方向の回動により昇降するロッドガイドが挿入され、該ロッドガイドに上記施錠ロッドが回動自在に取り付けられることを特徴とする請求項１，２，３又は４記載の開扉防止用錠装置。
【発明の詳細な説明】
【０００１】
【発明の属する技術分野】
本発明は、自動販売機などの扉がこじ開けなどにより不正開扉されることを防止する開扉防止用錠装置に関する。
【０００２】
【従来の技術】
自動販売機の扉などには、シリンダ錠などの錠装置が設けられているので、キーを持たない他人が勝手に扉を開けることはできないが、店頭や路傍に設置された自動販売機は、人通りが少なくなった夜間に、バールなどを利用して自動販売機の扉枠及び扉を暴力的に変形し、扉をこじ開けてシリンダ錠の施錠を外す悪質な盗難に逢う危険性がある。
このような犯罪を防止するには、自動販売機の周囲にチェンを巻きつけて、チェンの両端を南京錠で止め、自動販売機の開扉を不能にする方法が採られていた。
【０００３】
巻きつけられたチェンは、開扉を防止することができるが、次のような問題があった。
(a) 自動販売機の周囲に巻きつけるチェンの長さが長くなり、使い勝手が悪い。(b) チェンにつながれた南京錠は、鍵孔をピッキングし易い向きにすることができるので、悪質な不正解錠を防止することができない。
(c) チェンや南京錠が直接に自動販売機に当たって自動販売機の周囲の表面に打ち傷や擦り傷を付ける欠点があった。
【０００４】
かかる問題を解決するために、出願人は、自動販売機の扉枠と扉の端部のうち、一方にチェンの一端を固定するチェン固定部を設け、他方にチェンの他端を係脱する錠本体を設けた開扉防止用錠装置を提案した（実公平６−３０９７号公報参照）。
開扉防止用錠装置では、自動販売機の全周囲にチェンを巻く必要がなくなったので、開扉防止の手間が容易になり、自動販売機にチェンや南京錠の打ち傷がつく虞がなく、キーの鍵孔が下面にあるのでピッキングが困難であり、鍵孔より雨水や塵埃が侵入しないなどの利点があったが、次のような改善すべき点が残されていた。
【０００５】
【発明が解決しようとする課題】
開扉防止用錠装置は屋外に設置されるので、上面のロッド挿入用の孔とロッドとの隙間から雨水や塵埃が侵入し、内部に錆が発生したり、塵埃により作動が不円滑になる等の問題がある。
本発明はかかる課題を解決することを目的としており、錠本体の上面から雨水や塵埃が侵入する虞がない開扉防止用錠装置を提供するものである。
【０００６】
【課題を解決するための手段】
上記目的を達成するために、本発明の開扉防止用錠装置は、
扉枠の開口部を開閉する扉が設けられた自動販売機にチェン掛けして開扉を防止するために、上記扉又は扉枠の何れか一方にチェンの一端を固定するチェン固定部が設けられると共に該チェーンの他端側に錠が設けられ、解錠することにより錠本体の施錠ロッドに係止されている上記チェーンの他端を開放するようにした開扉防止用錠装置において、上記錠本体には下方に開口する収容孔と該収容孔に交叉し上記チェンの他端を挿脱できるチェン挿入溝を設け、上記収容孔には、下面に鍵孔を向けたシリンダ錠と、上記チェン挿入溝内のチェンに係脱する方向に昇降可能な施錠ロッドと、上記シリンダ錠のロータに係合し周壁の側面に螺旋カムが形成されると共に該螺旋カムに上記施錠ロッドに連動するガイドピンを係入させたシリンダカムとを設けて、上記ロータの施錠、解錠方向の回動により上記施錠ロッドを昇降方向に駆動させて上記チェーンの他端との係脱をさせるようにした。
【０００７】
上記シリンダカムの下方に突出するカム受け部材を上記シリンダカムの底壁に当接するようにするとよい。
【０００８】
上記収容孔はボディの下面に開口する大径孔部と該大径孔部に接続し上記チェン挿入溝と交叉する小径孔部により構成され、上記シリンダ錠のロータが施錠角度に回動したときに、上記施錠ロッドが上記チェン挿入溝の交叉部よりも上方の小径孔部内に突出するようにするとよい。
また、上記シリンダカムには、上記シリンダ錠の施錠，解錠方向の回動により昇降するロッドガイドが挿入され、該ロッドガイドに上記施錠ロッドが回動自在に取り付けられるようにするとよい。
【０００９】
【発明の実施の形態】
本発明の実施の形態の具体例について図面を参照して説明すると、図７は自動販売機Ａに設けられた開扉防止用錠装置を示し、開扉防止用錠装置は、錠本体Ｂと、チェン固定部Ｆに一端が固定されるチェンＣとにより構成される。
図７では、錠本体Ｂが扉Ｄの端部に取り付けられ、チェン固定部Ｆが扉枠Ｅに取り付けられているが、チェン固定部Ｆを扉Ｄに取り付け、錠本体Ｂを扉枠Ｅに取り付けてもよい。
【００１０】
錠本体Ｂの構造は、図１の断面図、図１のＸ−Ｘ断面図である図２、図２のＷ矢視図である図６に示すように、錠本体Ｂのボディ１に扉Ｄに固着される取り付け面１ａが設けられ、取り付け面１ａの上下方向に３つのねじ孔２が設けられる（図１，図６）。
扉Ｄの裏面から貫通するボルト３がねじ孔２にねじ込まれ、ナット４により緊締される（図８参照）。
【００１１】
ボディ１には、取り付け面１ａの反対側及び一方の側面に開口するチェン挿入溝５（図１のＹ−Ｙ断面である図４参照）が形成され、ボディ１の下面に開口する収容孔６は、下方の大径孔部６ａと、大径孔部６ａに連通しチェン挿入溝５に直交する小径孔部６ｂとにより構成される（図１，図２参照）。
【００１２】
ボディ１には、大径孔部６ａから取り付け面１ａに貫通する縦長孔７及び孔８が設けられ、孔８の下方の取り付け面１ａに四角形状の凹部９が形成され、四角形状の凹部９の底面のほぼ中央にねじ孔１０が螺設され、凹部９の両端部に、大径孔部６ａの外周面に達する長孔１１が設けられる（図１のＺ−Ｚ断面図である図５参照）。
【００１３】
大径孔部６ａに挿入されるシリンダカム１２は、図１１に示すように、円形の底壁１３と、底壁１３の周縁から上方に延びる周壁１４と、底壁１３の下方に高さの低い周壁１５を設け、周壁１５の円周方向の一箇所に周壁１５を切欠する切欠部３５を設ける。
底壁１３の中央部に非円形の孔１６が設けられ、周壁１４に溝形状の螺旋カム１７が設けられる。
底壁１３の内部に昇降可能に挿入されるロッドガイド１８は、下面に開口する円形凹部１９の底からロッドガイド１８の上面に孔２０が貫通する。
【００１４】
下方の大径孔部６ａに挿入可能に挿入される施錠ロッド２１の下端部に小径部２１ａが設けられ、小径部２１ａの先端部は孔２０に挿入された後に、止め輪２２が嵌着されるので、施錠ロッド２１はロッドガイド１８より抜け止めされ、ロッドガイド１８に対して回動可能である。
ロッドガイド１８の外周面にガイドピン２３の一端が固着され、ガイドピン２３の他端側は螺旋カム１７を通過して縦長孔７に遊嵌する（図２参照）。
従って、シリンダカム１２が大径孔部６ａの内周面に沿って回動すると、施錠ロッド２１が昇降する。
【００１５】
シリンダカム１２が大径孔部６ａに挿入された後に、ピン形状のカム受け部材２４がボディ１の外側から孔８に挿入され、カム受け部材２４は先端がシリンダカム１２の切欠部３５に突出する（図２参照）。
切欠部３５の横幅は、シリンダカム１２が所定角度だけ回動するときにカム受け部材２４との干渉しない寸法であり、次に述べるシリンダ錠２５を取り外したときに、シリンダカム１２の落下を阻止するものである。
【００１６】
シリンダカム１２の下方の大径孔部６ａに挿入されるシリンダ錠２５は、筒状のシリンダケース２６と、シリンダケース２６に回動可能に挿入されるロータ２７とを有し、シリンダケース２６の外周面は、円形の外周面の両側を平面２６ａに切欠された非円形の形状であり、円形部分には雄ねじ２８が設けられ、シリンダケース２６の前端に鍔部２９が設けられ、雄ねじ２８にはナット３０が螺合する（図２，図１０参照）。
【００１７】
ロータ２７の前面に鍵孔３１が設けられ、ロータ２７の後部に軸部３２が延設される。
軸部３２の外周面は、円形の外周面の両側を平面に切欠された非円形の形状であり、円形部分に設けられる雄ねじ３３が設けられる（図１０参照）。
回動規制カム３４には、軸部３２と同形状の非円形孔が設けられ、この非円形孔に軸部３２が挿通される（図２参照）。
【００１８】
回動規制カム３４は、ロータ２７の回動を施錠角度から解錠角度までに規制するものであり、軸部３２の雄ねじ３３に螺合するナット３６により軸部３２に固着される。
シリンダ錠２５は、鍵孔３１を下に向けて大径孔部６ａに挿入された後に、固定金具３７により回動不能，軸方向移動不能に拘束される（図２参照）。
【００１９】
固定金具３７は、連結部３７ａの両端に脚部３７ｂが設けられ、連結部３７ａの中央に孔３８が貫通する（図１０参照）。
固定金具３７の脚部３７ｂは、長孔１１を通過してシリンダケース２６の両平面２６ａに接触し、連結部３７ａはワッシャ４０を介して凹部９に挿入され、予め雄ねじ２８に螺合したナット３０と鍔部２９との間に挿入される。
孔３８に挿入されるねじ３９が凹部９の底面のねじ孔１０に螺合し、固定金具３７がボディ１に固着される（図５参照）。
【００２０】
自動販売機Ａの扉枠Ｅに固着されるチェン固定部Ｆは、チェンＣの一方の端部に挿入されたＵボルト４１の両端部が扉枠Ｅの外側から扉枠Ｅの孔に挿入され、Ｕボルト４１の両端部にそれぞれワッシャ４２を介してナット４３が螺合する。
【００２１】
以上のように構成された開扉防止用錠装置は、ボディ１の上面に孔や隙間がないので雨水や塵埃が内部に侵入する虞はなく、内部の部品に錆の発生する問題や塵埃によって作動が不円滑になる問題も生じない。
ガイドピン２３，カム受け部材２４，固定金具３７は、すべて取り付け面１ａに設けてあるので、第三者が勝手に取り外すことは不可能である。
次に、開扉防止用錠装置の作用を解錠状態，施錠操作，解錠操作，シリンダ錠の交換の順に説明する。
【００２２】
解錠状態では、図３に示すように、シリンダ錠２５のロータ２７及びシリンダカム１２が解錠角度にあり、シリンダカム１２の螺旋カム１７に挿入されているガイドピン２３は縦長孔７の下端部に位置し、ロッドガイド１８が下降しているので、施錠ロッド２１はチェン挿入溝５よりも下方に没入している。
チェン固定部Ｆに一端を係止されているチェンＣは、他端が垂れ下がっており、扉Ｄの開閉を妨げない状態にある。
【００２３】
垂れ下がっているチェンＣの他端をチェン挿入溝５に挿入し、管理者が所有する正規のキーをシリンダ錠２５の鍵孔３１に挿入して施錠方向に回動すると、ロータ２７が施錠角度に回動し、ロータ２７に係合するシリンダカム１２は、周壁１５がナット３０の上端面を滑り接触しながらロータ２７と一体となって回動する。
シリンダカム１２が解錠角度から施錠角度までの回動範囲では、カム受け部材２４は周壁１５の切欠部３５内にあるのでシリンダカム１２の回動を妨げない。
【００２４】
シリンダカム１２の回動により、螺旋カム１７に挿入されているガイドピン２３が、縦長孔７の上端部まで上昇し、施錠ロッド２１がチェンＣを通過して小径孔部６ｂの上端部まで上昇するので（図２参照）、チェンＣの他端は錠本体Ｂに施錠される。
施錠操作はキーを施錠方向に回動するワンタッチ動作でよく、施錠された錠本体Ｂには、全くばねが使用されていないので、自動販売機Ａを激しく揺すったり衝撃を与えても、施錠ロッド２１がチェンＣから外れる恐れはなく、施錠の信頼性が高い。
【００２５】
正規のキーをシリンダ錠２５の鍵孔３１に挿入して解錠方向に回動するワンタッチ操作で、ロータ２７とシリンダカム１２が一体となって解錠角度に回動し、螺旋カム１７に挿入されているガイドピン２３が、縦長孔７の下端部まで下降し、施錠ロッド２１がチェン挿入溝５の下方に没入してチェンＣの他端との係合が解除され、図３に示す解錠状態に戻る。
【００２６】
キーの紛失，シリンダ錠２５の故障，その他の理由によりキーコードを変更する必要が生じた場合には、シリンダ錠２５を取り替えなければならない。
シリンダ錠２５を取り替えるには、錠本体Ｂを取り外した後にねじ３９を取って固定金具３７を除去すればよい。
固定金具３７の拘束を解除されたシリンダ錠２５が自重により大径孔部６ａから落下する。
このとき、シリンダカム１２は、カム受け部材２４によって落下を阻止される。
【００２７】
【発明の効果】
本発明は以上のように構成されているので、従来の装置の欠点を解消でき、以下に記載されるような効果を奏する。
(1) 開扉防止用錠装置には故障の原因となるばねが全く使用されていないので、長時間使用に対する耐久性に優れている。
(2) 開扉防止用錠装置は、屋外に設置され、風雨に曝されても、雨水や塵埃が侵入することなく、錆の発生や、塵埃による作動不円滑の問題が解消された。
【００２８】
(3) 開扉防止用錠装置には、従来のロッドのように外部に突出する部品がなく、横から何らかの外力を受けて曲がり変形し作動が重たくなるような問題は生じない。
(4) 自動販売機を乱暴に揺すったり、或いは横方向から衝撃を加えても、不正解錠される虞がないので、開扉防止用錠装置の信頼性が高い。
【００２９】
(5) 開扉防止用錠装置の施錠，解錠操作は、片手でチェンの端部を持ち、他方の手でキーを回動するワンタッチ操作でよいので、操作性に優れている。
(6) 開扉防止用錠装置は構成部品点数が少ないので、耐久性に優れる利点と安価に提供できる利点がある。
【図面の簡単な説明】
【図１】  錠本体の施錠状態を示す縦断面図である。
【図２】  施錠状態における図１のＸ−Ｘ断面図である。
【図３】  解錠状態における図１のＸ−Ｘ断面図である。
【図４】  図１のＹ−Ｙ断面図である。
【図５】  図１のＺ−Ｚ断面図である。
【図６】  図２のＷ矢視図である。
【図７】  自動販売機に設けられた開扉防止用錠装置の斜視図である。
【図８】  扉に取り付けられた錠本体の側面図である。
【図９】  扉枠に取り付けられたチェン固定部の側面図である。
【図１０】  シリンダ錠とその固定金具の斜視図である。
【図１１】  シリンダカムの斜視図である。
【符号の説明】
Ａ                  自動販売機
Ｂ                  錠本体
Ｃ                  チェン
Ｄ                  扉
Ｅ                  扉枠
Ｆ                  チェン固定部
１                  ボディ
５                  チェン挿入溝
６                  収容孔
６ａ                大径孔部
６ｂ                小径孔部
７                  縦長孔
１２                シリンダカム
１４，１５          周壁
１７                螺旋カム
１８                ロッドガイド
２１                施錠ロッド
２３                ガイドピン
２４                カム受け部材
２５                シリンダ錠
２７                ロータ
３１                鍵孔
３７                固定金具
４１                Ｕボルト
【図１】
0003723621.tif 000002
【図２】
0003723621.tif 000003
【図３】
0003723621.tif 000004
【図４】
0003723621.tif 000005
【図５】
0003723621.tif 000006
【図６】
0003723621.tif 000007
【図７】
0003723621.tif 000008
【図８】
0003723621.tif 000009
【図９】
0003723621.tif 000010
【図１０】
0003723621.tif 000011
【図１１】
0003723621.tif 000012